(57)【特許請求の範囲】
【請求項１】
延出する内部通路を有する曲管型外部カニューレであって、前記内部通路に接続される開口端と、前記曲管型外部カニューレの内側に沿って配置された開孔を有し、肝臓を刺し通すことに用いられ、鈍端を有する穿刺端と、を更に含む曲管型外部カニューレと、
前記内部通路に通され、前記開孔に近接する一端に糸通し部があり、前記開孔を介して出入りし、前記糸通し部には、少なくとも１本の縫合糸が、前記曲管型外部カニューレの曲がった内側の側面において通される内部ワイヤと、
を備えるニードルユニット。
【請求項２】
前記曲管型外部カニューレは、前記曲管型外部カニューレの縦方向全長に沿って曲率で曲がった曲管であり、前記曲率は、前記曲管型外部カニューレの中心角を前記曲管型外部カニューレの前記縦方向全長で割るものであり、前記中心角は、０度以上１８０度未満であり、前記長さは、人間の肝臓の平均厚さの１０１％〜２５０％である請求項１に記載のニードルユニット。
【請求項３】
前記曲管型外部カニューレは、金属又はプラスチックからなり、その幅が、２．１０８ｍｍ〜０．５５９ｍｍである請求項１に記載のニードルユニット。
【請求項４】
前記内部ワイヤは、金属糸、プラスチック糸、又は高分子フィルムで覆われる金属糸である請求項１に記載のニードルユニット。
【請求項５】
前記糸通し部は、長円形ループ、円形ループ、菱形ループ、Ｕ形部又はフックである請求項１に記載のニードルユニット。
【請求項６】
前記曲管型外部カニューレの前記開孔に近接する前記糸通し部の前記長円形ループ、前記円形ループ又は前記菱形ループの末端に、線形突起物がある請求項５に記載のニードルユニット。
【請求項７】
前記開孔は、前記鈍端に近接するように、前記曲管型外部カニューレの片側に設けられる請求項６に記載のニードルユニット。
【請求項８】
前記開孔は、直接に前記曲管型外部カニューレの前記穿刺端の末端に設けられる請求項６に記載のニードルユニット。
【請求項９】
前記鈍端として、前記穿刺端の前記線形突起物の一端に、プラグが設けられ、前記ニードルユニットが前記柔組織又は前記器官を刺し通した場合、前記プラグは、前記開孔を覆う請求項８に記載のニードルユニット。
【請求項１０】
前記長円形ループ、前記円形ループ又は前記菱形ループは、金属からなり、前記長円形ループ、前記円形ループ又は前記菱形ループの幅が、前記開孔の直径以上、又はそれ未満であり、前記ニードルユニットが前記柔組織又は前記器官を刺し通した場合、前記糸通し部が前記開孔の裏側に維持される請求項８に記載のニードルユニット。
【発明の詳細な説明】
【技術分野】
【０００１】
本発明は、外科手術用ニードルユニットに関し、特に、肝切除手術に適用されるニードルユニットに関する。
【背景技術】
【０００２】
成功した肝切除（ｈｅｐａｔｉｃ  ｒｅｓｅｃｔｉｏｎ）手術には、熟練した外科手術技巧、十分な残肝（ｒｅｍｎａｎｔ  ｌｉｖｅｒ）容積、余計な虚血再灌流障害（ｉｓｃｈｅｍｉｃ  ａｎｄ  ｒｅｐｅｒｆｕｓｉｏｎ  ｉｎｊｕｒｉｅｓ）の減少や除去が必要である。熟練した外科医による肝実質切断術（ｐａｒｅｎｃｈｙｍａ  ｄｉｖｉｓｉｏｎ）の場合、肝表面の出血又は胆汁漏れを止め、残りの主血管及び管路の完備性を維持するように、失血の減少に専念しなければならない。前記条件のいずれも満たされた場合、術後、無事で医療コストの節約になることは当然である。でなければ、複雑な術後ケアが、必要となる。
【０００３】
肝切除手術では、高リスクの手術中や術後の出血、及び術後の肝機能不全がよく起こる。手術技術、器材及び術後ケアの精進に伴い、死亡率が低下していくとはいえ、肝実質切断（ｐａｒｅｎｃｈｙｍａ  ｔｒａｎｓｅｃｔｉｏｎ）の場合、肝出血は、依然として、克服すべき難関である。手術中、出血を減少させるには、肝臓の流入（ｉｎｆｌｏｗ）血液と逆流（ｂａｃｋｆｌｏｗ）血液を同時に制御しなければならない。現在、肝臓外の肝十二指腸靭帯（ｈｅｐａｔｏｄｕｏｄｅｎａｌ  ｌｉｇａｍｅｎｔ）で（例えば、プリングル法、Ｐｒｉｎｇｌｅ’ｓ  ｍａｎｅｕｖｅｒ）総肝動脈及び門脈を制御したり、肝臓内の肝門（ｈｉｌａｒ）の前記血管の個別の区域枝（ｓｅｇｍｅｎｔａｌ  ｂｒａｎｃｈｅｓ）で、間欠的又は連続的な方式を利用して、流入血液を遮断する複数の既知方法を適用することができる。個別の血液流入を、部分的に遮断することによって、残肝の虚血再灌流障害を避けることができる。特に、肝硬変症（ｃｉｒｒｈｏｔｉｃ  ｌｉｖｅｒ）に関して、肝不全（ｈｅｐａｔｉｃ  ｆａｉｌｕｒｅ）を防止するには、適切な虚血時間の判断が、肝心である。逆流血液の制御については、下大静脈遮断（ｔｈｅ  ｉｎｆｅｒｉｏｒ  ｖｅｎａ  ｃａｖａ  ｅｘｃｌｕｓｉｏｎ；ＩＶＣ  ｅｘｃｌｕｓｉｏｎ）又は個別の肝静脈遮断によって達成できる。しかしながら、下大静脈遮断の場合、血行力学的安定性を脅かすことがあるため、血行の遮断に先立って、血行力学的安定性のために過負荷の液体を利用する必要があるが、この増やした液体のため、術後回復の負担が重くなることがある。
【発明の概要】
【発明が解決しようとする課題】
【０００４】
上記事情に鑑みて、肝臓内（肝門を除く）の更に末梢にある個別の流入血液と逆流血液に対する制御、手術中の出血の低下、虚血再灌流障害となる肝臓領域の狭い範囲への縮減、更に、術後肝不全等のリスクの最低化のために、外科手術用針具の提供が望まれている。
【課題を解決するための手段】
【０００５】
従って、本発明の一態様は、外部カニューレ（ｏｕｔｅｒ  ｃａｎｎｕｌａ）と、外部カニューレの内部通路に設けられている内部ワイヤ（ｉｎｎｅｒ  ｗｉｒｅ）と、を備えるニードルユニットを提供する。外部カニューレは、直管又は曲管であり、内部通路を有し、且つ、穿刺端と、内部通路に接続される開口端と、を更に有する。穿刺端は、鈍端（ｄｕｌｌ  ｔｉｐ）を有する。外部カニューレの穿刺端の鈍端の近傍、又は穿刺端に、開孔がある。外部カニューレの開孔に近接する内部ワイヤの一端に、糸通し部（ｔｈｒｅａｄｉｎｇ  ｐａｒｔ）がある。少なくとも１本の縫合糸は、糸通し部を貫通し、内部ワイヤは、開孔を介して出入りする。開孔が直接に外部カニューレの穿刺端に設けられている場合、内部ワイヤは、プラグに接続されることで、穿刺端としてよい。従って、例えば、各種の肝臓切除手術のような、器官の部分切除手術の場合、ニードルユニットを利用すれば、その器官の特定の血管に対する制御には有利である。
【０００６】
本発明の前記態様によると、ニードルユニットを提供する。一実施例において、このニードルユニットは、外部カニューレと、内部ワイヤと、を備える。外部カニューレは、その中に設けられている内部通路を有し、且つ、少なくとも、開口端と、鈍端を有する穿刺端と、を更に含む。穿刺端は、柔組織又は器官を刺し通すことに用いられ、その鈍端の近傍、又は外部カニューレの穿刺端の末端に、開孔がある。内部ワイヤは、外部カニューレの内部通路に設けられ、外部カニューレの開孔に近接するその一端、又は近傍に、糸通し部があり、開孔を介して出入りすることができ、少なくとも１本の縫合糸が、糸通し部を貫通する。開孔が直接に外部カニューレの穿刺端の末端に設けられる場合、内部ワイヤは、プラグに接続されることで、穿刺端としてよい。
【０００７】
本発明の一実施例によると、前記外部カニューレは、直管、或は外部カニューレの縦方向全長に沿って連続曲率で曲がった曲管であり、ただし、この曲率は、外部カニューレの中心角を外部カニューレの長さで割るものであり、この中心角は、０度以上１８０度未満であり、この長さは、人間の肝臓の平均厚さの１０１％〜２５０％である。また他の例示において、前記外部カニューレは、直管、或は接弦角で曲がった曲管であり、且つ、前記穿刺端から開口端まで定義された接弦角が、０度以上９０度未満である。
【０００８】
本発明の一実施例によると、前記開孔は、鈍端に近接するように、外部カニューレの片側に設けられる。また他の例示において、前記開孔は、直接に外部カニューレの穿刺端の末端に設けられる。後者の例示において、糸通し部は、長円形ループ（ｏｖａｌ  ｌｏｏｐ）、円形ループ（ｃｉｒｃｌｅ  ｌｏｏｐ）、菱形ループ（ｄｉａｍｏｎｄ  ｌｏｏｐ）、Ｕ形部又はフック（ｈｏｏｋ）であってよい。別の方式として、外部カニューレの開孔に近接する前記糸通し部の長円形ループ、円形ループ又は菱形ループの末端に、線形突起物がある。前記穿刺端の線形突起物の一端に、鈍端として、プラグが設けられてよく、ニードルユニットが柔組織又は器官を刺し通した場合、このプラグは、前記開孔を覆うことができる。
【０００９】
本発明のまた他の態様によると、外部カニューレと、外部カニューレの内部通路に設けられている内部ワイヤと、外部カニューレの開口端に設けられているハンドルと、を備える肝切除手術に用いられる手術用ニードルユニットを提出する。ハンドルは、外部カニューレの内部通路に接続するための管路を有し、内部ワイヤが、管路と内部通路に設けられる。
【発明の効果】
【００１０】
本発明のニードルユニットを適用する場合、直管又は曲管である外部カニューレを利用し、少なくとも１本の縫合糸が、内部ワイヤの糸通し部を貫通することができ、内部ワイヤが、開孔を介して出入りすることができる。そのように、例えば、肝臓切除手術のような、器官の部分切除手術の場合、本発明のニードルユニットを利用すれば、この器官の特定の血管を結紮することが可能である。
【００１１】
上記概略及び下記詳細な叙述は、例示に過ぎない、請求する発明に対して更なる解釈を提供することを目的としていることは、理解すべきである。
【００１２】
下記図面の説明は、本発明の前記または他の目的、特徴、メリット、実施例をより分かりやすくするためのものである。
【図面の簡単な説明】
【００１３】
【図１Ａ】本発明の複数の実施例によるニードルユニットを示す断面模式図である。
【図１Ｂ】本発明の複数の実施例によるニードルユニットを示す断面模式図である。
【図１Ｃ】本発明の複数の実施例によるニードルユニットを示す立体模式図である。
【図１Ｄ】本発明の複数の実施例によるニードルユニットを示す立体模式図である。
【図２】本発明のまた他の実施例によるニードルユニットを示す断面模式図である。
【図３】本発明の一実施例による内部ワイヤを示す模式図である。
【図４】２０００年に、国際肝膵胆道学会（ＩＨＰＢＡ）がブリズベンで肝臓解剖学と手術切除において定めた用語による、肝臓の区域分類を示す模式図である。
【図５Ａ】本発明の一実施例による肝左葉を示す矢状断面図である。
【図５Ｂ】本発明の一実施例による肝左葉を示す矢状断面図である。
【図６Ａ】本発明のまた他の実施例によるリブと、横隔膜下方の肝右葉を示す側面図である。
【図６Ｂ】本発明のまた他の実施例による肝右葉を示す矢状断面図である。
【発明を実施するための形態】
【００１４】
前記によれば、本発明は、器官の部分切除手術の場合、この器官の特定の血管を効果的で容易に結紮可能なニードルユニットを提供する。
【００１５】
（ニードルユニットの構造）
本発明の一実施例によるニードルユニットを示す断面模式図である図１Ａを参照する。簡単に言えば、ニードルユニット１００は、外部カニューレ（以下、直管型外部カニューレ１１０ａ、又は曲管型外部カニューレ１１０ｂを指す）と、内部ワイヤ１２０と、を備えてよい。直管型外部カニューレ１１０ａ又は曲管型外部カニューレ１１０ｂは、その中に設けられている内部通路１１１を有し、外部カニューレは、穿刺端１１５と、この内部通路１１１に接続される開口端１１３と、を含む。前記外部カニューレの穿刺端１１５は、鈍端を有する。大体は、外部カニューレの穿刺端１１５は、柔組織又は器官（例えば、肝臓）を刺し通すための鈍端であってよく、前記外部カニューレの穿刺端１１５の鈍端の近傍、又は穿刺端１１５の末端に、開孔１１７がある。内部ワイヤ１２０は、内部通路１１１中に設けられ、開孔１１７に近接するその一端、又は近傍に、糸通し部１２１（例えば、ループ）を有し、開孔１１７を介して出入りすることができ、少なくとも１本の縫合糸１３０が、糸通し部１２１を貫通する。
【００１６】
例としては、図１Ａに示すように、開孔１１７は、外部カニューレの穿刺端１１５の鈍端に近接するように、外部カニューレ（直管型外部カニューレ１１０ａ又は曲管型外部カニューレ１１０ｂ）の片側に設けられてよい。しかしながら、また他の例示において、図１Ｂに示すように、開孔１１７は、直接に外部カニューレ（直管型外部カニューレ１１０ａ’、又は曲管型外部カニューレ１１０ｂ’）の穿刺端の末端に設けられてよく、この例示において、外部カニューレ（直管型外部カニューレ１１０ａ’、又は曲管型外部カニューレ１１０ｂ’）は、鈍端を有しない。この例示において、糸通し部１２１は、ループ、又はフックであってよい。ループを糸通し部１２１とする例示において、前記外部カニューレ（直管型外部カニューレ１１０ａ’、又は曲管型外部カニューレ１１０ｂ’）の開孔１１７に近接する糸通し部１２１の末端に、更に、線形突起物１２３がある。図１Ａに示すような鈍端として、前記穿刺端の線形突起物１２３の一端にプラグ１５０が設けられてよく、ニードルユニット１００’が柔組織又は器官を刺し通した場合、このプラグ１５０は、前記開孔１１７を覆うことができる。即ち、ニードルユニット１００’が柔組織又は器官を刺し通した場合、プラグ１５０は、柔組織又は器官を刺し通す鈍端としても、開孔１１７を覆う覆い端としてもよい。また、プラグ１５０は、金属、プラスチック又は外科手術器械に適用される他の材料からなってよい。
【００１７】
一実施例において、内部ワイヤ１２０は、金属糸、プラスチック糸、又は例えば、ポリテトラフルオロエチレン（ｐｏｌｙｔｅｔｒａｆｌｕｏｒｏｅｔｈｙｌｅｎｅ；ＰＴＦＥ）で覆われる金属糸のような、高分子フィルムで覆われる金属糸であってよい。
【００１８】
一実施例において、図１Ａに示すように、曲管型外部カニューレ１１０ｂは、外部カニューレの穿刺端１１５（即ち、開孔１１７の上方）から外部カニューレの開口端１１３まで定義された接弦角（ｔａｎｇｅｎｔ  ｃｈｏｒｄ  ａｎｇｌｅ）αで曲がった曲管である。別の方式として、図１Ｂに示すように、曲管型外部カニューレ１１０ｂ’を、開孔１１７から外部カニューレの開口端１１３までの接弦角αによって定義してもよい。開孔１１７から外部カニューレの開口端１１３まで定義された接弦角αは、０度以上９０度未満である。
【００１９】
また他の実施例において、外部カニューレは、直管型外部カニューレ１１０ａ（又は直管型外部カニューレ１１０ａ’）、又は曲管型外部カニューレ１１０ｂ（又は曲管型外部カニューレ１１０ｂ’）であってよい。一例示において、曲管型外部カニューレ１１０ｂ（又は曲管型外部カニューレ１１０ｂ’）は、外部カニューレの縦方向全長（ｌ）に沿って曲率で曲がった曲管であってよく、この曲率を、下記式（Ｉ）により定義する。
【数１】
0005462301.tif 000002
【００２０】
上記式（Ｉ）において、この曲率を、外部カニューレの半径（ｒ）の逆数により直接に定義して得られる。曲管型外部カニューレ１１０ｂ（又は曲管型外部カニューレ１１０ｂ’）の縦方向全長（ｌ）は、その半径（ｒ）と中心角（θ）の積により定義されて得られる。即ち、曲管型外部カニューレ１１０ｂ（又は曲管型外部カニューレ１１０ｂ’）の曲率は、中心角（θ）をその縦方向長さ（ｌ）で割るものであってもよい。一実施例において、曲管型外部カニューレ１１０ｂ（又は曲管型外部カニューレ１１０ｂ’）の中心角（θ）は、接弦角αの２倍、つまり２αであり、中心角（θ）は、０弧度（ｒａｄｉａｎ）以上３．１４弧度（即ち、１８０度）未満である。
【００２１】
直管型外部カニューレ１１０ａ（又は直管型外部カニューレ１１０ａ’）の全長（ｌ）は、人間の肝臓の平均厚さの１０１％〜２５０％（例えば、約１０センチ〜３０センチ）であってよい。直管型外部カニューレ１１０ａ（又は直管型外部カニューレ１１０ａ’）は、従来の金属（例えば、金属、金属合金、ステンレス鋼等）、又はプラスチックからなってよく、直管型外部カニューレ１１０ａ（又は直管型外部カニューレ１１０ａ’）又は曲管型外部カニューレ１１０ｂ（又は曲管型外部カニューレ１１０ｂ’）の幅ｗは、注射針の規格（ｓｙｒｉｎｇｅ  ｎｅｅｄｌｅ  ｇａｕｇｅ）１４号〜２４号（即ち、２．１０８ｍｍ〜０．５５９ｍｍ）である。同様に、図１Ｂに示した曲管型外部カニューレ１１０ｂ’は、選択的にその縦方向全長（ｌ）に沿って連続曲率で曲がった曲管であってもよく、この曲率を、上記式（Ｉ）により定義してもよい。
【００２２】
図１Ｃ及び図１Ｄを参照する。図１Ｃ及び図１Ｄは、本発明の一実施例によるニードルユニットを示す立体模式図である。ニードルユニット１００は、外部カニューレ１１０と、内部ワイヤ１２０と、を備えてよく、ニードルユニット１００’は、外部カニューレ１１０’と、プラグ１５０を有する内部ワイヤ１２０と、を備える。外部カニューレ１１０は、その中に設けられている内部通路（図に示さず）を有し、且つ、少なくとも、内部通路に接続される開口端１１３と、穿刺端１１５と、を更に含む。外部カニューレの穿刺端１１５は、柔組織又は器官（例えば、肝臓）を刺し通すための鈍端を有する。前記外部カニューレの穿刺端１１５の近傍に、開孔１１７があり、そのうち、開孔１１７が、穿刺端１１５の鈍端に近接するように、外部カニューレ１１５の片側に設けられてよく（例えば、ニードルユニット１００）、或は直接に外部カニューレ１１０’の穿刺端の末端に設けられてよい（例えば、ニードルユニット１００’）。内部ワイヤ１２０は、一端に糸通し部１２１があり、内部通路から開孔１１７を介して出入りすることができ、それが開孔１１７から伸ばした場合、少なくとも１本の縫合糸１３０が、糸通し部１２１を貫通することができる。しかしながら、ここで、図１Ｃ及び図１Ｄに示したニードルユニットは、例示に過ぎない、他の実施例のニードルユニットにおいて、直管型外部カニューレを使用してもよいが、請求する発明を限定するためのものではないことは、容易に理解できる。
【００２３】
他の例示において、外部カニューレ１１０’の開孔１１７に隣接する図１Ｃ及び図１Ｄに示したニードルユニット１００’の糸通し部１２１の長円形ループ、円形ループ又は菱形ループの末端に、線形突起物がなくてよい（図に示さず）。前記例示において、前記ニードルユニット１００’の各種のループの糸通し部１２１は、金属材料からなってよく、前記ループの幅が、開孔１１７の直径より僅かに大きく、それに等しく、又はそれより小さく、ニードルユニットが柔組織又は器官を刺し通した場合、糸通し部１２１が開孔１１７の裏側（図に示さず）に維持される。
【００２４】
一実施例において、外部カニューレ１１０又は外部カニューレ１１０’の開口端１１３に、更に、ハンドル１３０ｂ（図１Ｃ）、又はハンドル１３０ｃ（図１Ｄ）が選択的に設けられてよく、そのうち、ハンドル１３０ｂが、外部カニューレ１１０又は外部カニューレ１１０’の開口端１１３に垂直又は傾斜的に設けられ、或は、ハンドル１３０ｃが、外部カニューレ１１０又は外部カニューレ１１０’と同様な方向に沿って延ばす。次に、図１Ｃに示したハンドル１３０ｂの握持部１３１ｂ、又は図１Ｄに示したハンドル１３０ｃの握持部１３１ｃのそれぞれは、外部カニューレ１１０又は外部カニューレ１１０’の内部通路１１１に接続するための管路（図に示さず）を有し、内部ワイヤ１２０を、開口１３３ｂ又は開口１３３ｃから管路と内部通路１１１を介して開孔１１７に到達させる。
【００２５】
また他の実施例において、外部カニューレを、腹腔鏡手術器械の中空管路に設けてよい。図２を参照する。図２は、本発明のまた他の実施例によるニードルユニットを示す断面模式図である。例えば、従来の技術によく用いられる腹腔穿刺用トロカール（ｔｒｏｃａｒ）のような、腹腔鏡手術の腹腔穿刺用トロカール１４０は、外部カニューレ１１０又は外部カニューレ１１０’を収納して腹腔穿刺用トロカールの開口１４５を介して出入りさせる中空管路１４１を有する。この例示において、従来の技術によく用いられる腹腔鏡カメラを、独立してまた他の套管器械（図に示さず）に設けてよい。
【００２６】
大体から言えば、外部カニューレ１１０又は外部カニューレ１１０’の長さは、実際の要求次第であり、本発明は、ここで前記長さの範囲を限定しない。例としては、従来の開腹手術（ｏｐｅｎ  ａｂｄｏｍｅｎ  ｓｕｒｇｅｒｙ）において、外部カニューレ１１０又は外部カニューレ１１０’を手動で操作する場合、外部カニューレ１１０又は外部カニューレ１１０’の長さは、人間の肝臓の平均厚さの１０１％〜２５０％（例えば、約１０センチ〜３０センチ）であってよい。別の方式として、腹腔鏡手術において、外部カニューレ１１０又は外部カニューレ１１０’が腹腔穿刺用トロカールポート（ｔｒｏｃａｒ  ｐｏｒｔ）を貫通する場合、外部カニューレ１１０の長さは、例えば、約５０センチのような、図２に示した腹腔穿刺用トロカールの中空管路１４１の長さを超えたものであってよい。
【００２７】
図３を参照する。図３は、本発明の一実施例による内部ワイヤを示す模式図である。一実施例において、内部ワイヤ１２０は、金属糸、プラスチック糸、又は例えば、ＰＴＦＥで覆われる金属糸のような、高分子フィルムで覆われる金属糸であってよい。内部ワイヤ１２０の糸通し部１２１は、例えば、長円形ループ（例えば、ループ１２１ａ及びループ１２１ｂ）、円形ループ（例えば、ループ１２１ｃ及びループ１２１ｄ）、又は菱形ループ（例えば、ループ１２１ｅ及びループ１２１ｆ）のような、様々な形状であってよい。また他の実施例において、内部ワイヤ１２０の糸通し部１２１は、Ｕ形部１２１ｇであってよい。また一つの実施例において、内部ワイヤ１２０の糸通し部１２１は、フック１２１ｈであってよい。
【００２８】
また、図３を参照する。また他の実施例において、外部カニューレ（例えば、図１Ｂに示した外部カニューレ１１０ａ又は外部カニューレ１１０ｂ）の開孔に近接する前記糸通し部１２１の末端に、例えば、ループ１２１ｂの線形突起物１２３ｂ、ループ１２１ｄの線形突起物１２３ｄ、又はループ１２１ｆの線形突起物１２３ｆのような、線形突起物がある。ここで例示した線形突起物は、内部ワイヤ１２０を開孔を介して出入りさせることに有利である。他の例示において、鈍端として、ループ１２１ｂの線形突起物１２３ｂ、ループ１２１ｄの線形突起物１２３ｄ、又はループ１２１ｆの線形突起物１２３ｆの一端に、それぞれプラグ１５０を設けてよく、且つ、ニードルユニット（例えば、図１Ｂに示したニードルユニット１００、又は図１Ｂに示したニードルユニット１００’）が柔組織又は器官を刺し通した場合、このプラグ１５０が、前記開孔（例えば、図１Ｂに示した開孔１１７）を覆うことができる。別の方式として、内部ワイヤ１２０は、ノッチ状のフック１２１ｉを有してよく、且つ、外部カニューレ（例えば、図１Ｂに示した外部カニューレ１１０ａ又は外部カニューレ１１０ｂ）の開孔に近接する末端に、プラグ１５０が設けられ、そのうち、フック１２１ｉを糸通し部として、プラグ１５０を鈍端としてよい。この例示において、外部カニューレ１１０の有無にかかわらず、フック１２１ｉと、プラグ１５０と、を有する内部ワイヤ１２０そのものを、外科手術用針として用いることができる。
【００２９】
肝臓の部分切除手術の場合、肝臓の特定の血管を結紮するように、内部ワイヤ１２０は、少なくとも１本の縫合糸１３０を、糸通し部１２１に貫通可能にする。一実施例において、縫合糸１３０は、従来の技術によく用いられる吸収性又は非吸収性材料からなる縫合糸である。
【００３０】
曲管式ニードルユニットが、直管式ニードルユニットと比べて、器官の特定の血管を効果的で容易に結紮できることは、注意すべきである。２０００年に、国際肝膵胆道学会（Ｉｎｔｅｒｎａｔｉｏｎａｌ  Ｈｅｐａｔｏ‐Ｐａｎｃｒｅａｔｏ‐Ｂｉｌｉａｒｙ  Ａｓｓｏｃｉａｔｉｏｎ；ＩＨＰＢＡ）がブリズベンで肝臓解剖学と手術切除において定めた用語（Ｂｒｉｓｂａｎｅ  Ｔｅｒｍｉｎｏｌｏｇｙ  ｏｆ  Ｌｉｖｅｒ  Ａｎａｔｏｍｙ  ａｎｄ  Ｒｅｓｅｃｔｉｏｎｓ）による、肝臓の区域分類（ｓｅｇｍｅｎｔａｌ  ｃｌａｓｓｉｆｉｃａｔｉｏｎ）を示す模式図である図４を参照する。本発明のニードルユニットは、肝臓の前記全ての区域のグリソン管状構造組織（その中に、血管及び胆管を含む）（Ｇｌｉｓｓｏｎｉａｎ  ｐｅｄｉｃｌｅ）における一次（ｔｈｅ  ｆｉｒｓｔ  ｏｒｄｅｒ）、二次、三次及び四次の血管分枝に適用可能である。
【００３１】
（ニードルユニットの適用）
例えば、肝切除手術の場合、ニードルユニットを、図１Ａ、図５Ａ〜図６Ｂに合わせて、下記のように適用することが可能である。肝切除手術中、腫瘍の大きさ、位置、肝臓内の血管走行、切除率を評価したり、適切な切除線（ｄｉｖｉｓｉｏｎ  ｌｉｎｅ）を判断するように、術中超音波（ｉｎｔｒａｏｐｅｒａｔｉｖｅ  ｕｌｔｒａｓｏｎｏｇｒａｐｈｙ）（図に示さず）、或は腹腔鏡カメラを適切に使用してよい。ニードルユニットの操作を詳細に説明するように、ここの例示として、ニードルユニット１００を利用して、別々に肝左葉切除及び肝右葉切除を行う。しかしながら、下記叙述は、例示に過ぎない、請求する発明に対して更なる解釈を提供するためのものであることは、理解すべきである。
【００３２】
（１．肝臓底部から上向きの穿刺による、血管、特に、下大静脈上方の肝臓及び血管の結紮）
図１Ａ、図５Ａ及び図５Ｂを参照する。図５Ａ及び図５Ｂは、本発明の一実施例による肝左葉を示す矢状断面図である。必要な術前準備の後、前腹壁及び胸腔壁５０９を上げる。ニードルユニット１００の外部カニューレ１１０ｂを利用して、経路５１１に沿って肝臓５００の下表面５０１［下大静脈（ｉｎｆｅｒｉｏｒ  ｖｅｎａｌ  ｃａｖａ；ＩＶＣ）５０３の上方にある］を貫通し、主な供給血管５０７（例えば、左肝のグリソン管状構造組織）の一側を介して、肝臓５００の上表面５０５に到達してから、ニードルユニット１００の内部ワイヤ１２０を、外部カニューレ１１０ｂの開孔１１７から外へ移出し、縫合糸１３０の第１の端を、ニードルユニット１００の内部ワイヤ１２０の糸通し部１２１に貫通させる。
【００３３】
次いで、外部カニューレ１１０ｂが同一経路５１１に沿うようにし、縫合糸１３０の第１の端を、肝臓５００の上表面５０５から肝臓５００の下表面５０１へ戻し、縫合糸１３０の第２の端を、肝臓５００の上表面５０５に残す。次に、ニードルユニット１００を、経路５１３に沿って肝臓５００の下表面５０１に貫通させ、主な供給血管５０７のまた他の側を介して、肝臓５００の上表面５０５に到達させ、縫合糸１３０の第１の端を、肝臓５００の上表面５０５に引く。肝臓５００の上表面５０５において、経路５１１と経路５１３との間隔は、約５センチである。その後、特定の血管の個別の流入血液又は逆流血液を制御するように、肝臓５００の上表面５０５における縫合糸１３０の第１の端と第２の端を締め付けて結び目５２１を整える。
【００３４】
他の実施例において、図５Ｂに示すように、肝左葉の切除線の裏側に沿って、列になっている間欠インターロック縫合糸（ｉｎｔｅｒｍｉｔｔｅｎｔｌｙ  ｉｎｔｅｒｌｏｃｋｉｎｇ  ｓｕｔｕｒｅｓ）の結び目５２１を形成するように、前記何れの方式で、ニードルユニット１００を繰り返して使用してよい。次に、プリングル法（Ｐｒｉｎｇｌｅ’ｓ  ｍａｎｅｕｖｅｒ）（下方の肝臓の外で、総肝動脈及び肝門静脈を含む部分における全ての流入血液を完全に遮断する）、又は他の如何なる肝臓の流入血液又は逆流血液の遮断方法を使用する必要がなく、直接に剪み、電気焼灼器（ｅｌｅｃｔｒｏｃａｕｔｅｒｙ）を使用したり、ケリー鉗子（Ｋｅｌｌｙ  ｃｌａｍｐ）による締め分離（ｃｌａｍｐｉｎｇ  ａｎｄ  ｄｉｖｉｄｉｎｇ）法を利用して、肝左葉を直接に分離してよい。はっきりとしたサイズを有する如何なる管状構造を、縫合糸による結紮を利用して、強化することができる。前記肝切除手術の後、残肝の表面に、フィブリン糊又はコラーゲンシートを使用する必要はない。定例に従って、必要であれば、大口径の排液管を、関連部分に置いてよい。
【００３５】
縫合糸１３０の両端を同側で互いに締め付けている場合、肝臓５００の上表面５０５においても、下表面５０１においても、縫合糸１３０の縫合方式に対して如何に修正してもよい。その後、従来の方法を利用して、肝臓腫瘍を切除してよい。腫瘍切除を完成した後、前記結び目５２１及び縫合糸１３０を永久に残してよいし、肝臓５００の流入血液及び逆流血液を回復する必要がある場合、前記結び目５２１及び縫合糸１３０を取り除いてもよい。
【００３６】
肝臓の上表面５０５と前腹壁及び胸腔壁５０９との間の隙間が狭すぎるため、直針（例えば、直管型外部カニューレ１１０ａと、内部ワイヤ１２０と、を有するニードルユニット１００）が肝臓の表面から穿刺しにくくなる場合、前記方法を、肝右葉切除手術又は各種の切除手術に適用してもよい。
【００３７】
（２．肝臓の表面（下大静脈から遠く離れる場合）、又は底部（肝臓と前腹壁及び胸腔壁との間の隙間が狭い場合）から肝臓への穿刺）
次に、胸腔の下方、又は肝臓と前腹壁との間の狭い隙間における肝臓血管の空間制限のせいで、従来の直針が、肝臓血管に到着しにくい場合、本発明のニードルユニットによれば、その肝臓血管を容易に結紮できる。
【００３８】
図１Ａ、図６Ａ及び図６Ｂを参照する。図６Ａは、本発明のまた他の実施例による前腹壁及び胸腔壁５０９と、横隔膜６０２下方の肝右葉を示す側面図であるが、図６Ｂは、本発明のまた他の実施例による肝右葉を示す矢状断面図である。同様に、必要な術前準備の後、前腹壁及び胸腔壁５０９を僅かに上げる。ニードルユニット１００の外部カニューレ１１０ｂを利用して、経路６１１に沿って、腹膜後腹壁（ｒｅｔｒｏｐｅｒｉｔｏｎｅａｌ  ａｂｄｏｍｉｎａｌ  ｗａｌｌ）６２３に対向するように上から下へ穿刺し、図５Ａ及び図５Ｂに示した下大静脈５０３から遠く離れるように肝臓６００の上表面６０５に貫通させ、主な供給血管６０７の一側を介して、肝臓６００の下表面６０１に到達させる。
【００３９】
次いで、内部ワイヤ１２０を、外部カニューレ１１０ｂの開孔１１７から外へ移出し、縫合糸１３０の第１の端を、内部ワイヤ１２０の糸通し部１２１に貫通させる。その後、外部カニューレ１１０ｂが同一経路６１１に沿うようにし、縫合糸１３０の第１の端を、肝臓６００の下表面６０１から肝臓６００の上表面６０５に引き、縫合糸１３０の第１の端を、肝臓６００の上表面６０５に残す。次に、ニードルユニット１００を、経路６１３に沿って肝臓６００の上表面６０５に貫通させ、主な供給血管６０７のまた他の側を介して、肝臓６００の下表面６０１に到達させ、縫合糸１３０の第２の端を得るように、内部ワイヤ１２０の糸通し部１２１を、外部カニューレ１１０ｂの開孔１１７から外へ移出する。肝臓６００の上表面６０５において、経路６１１と経路６１３との間隔は、約５センチである。その後、外部カニューレ１１０ｂが同一経路６１３に沿うようにし、縫合糸１３０の第１の端を、肝臓６００の下表面６０１から肝臓６００の上表面６０５に引き、縫合糸１３０の第２の端を、肝臓６００の上表面６０５に残す。続いて、肝臓６００の上表面６０５における縫合糸１３０の第１の端と第２の端を、締め付ける。
【００４０】
別の方式として、内部ワイヤ１２０の糸通し部１２１を、外部カニューレ１１０ｂの開孔１１７から外へ移出する場合、縫合糸１３０の第１の端を、ニードルユニット１００の内部ワイヤ１２０の糸通し部１２１に貫通させ、次に、内部ワイヤ１２０を、糸通し部１２１の末端が開孔１１７内に収められるまで、裏へ移入する。準備完了後、ニードルユニット１００の外部カニューレ１１０ｂを、経路６１１に沿って肝臓６００の下表面６０１（下大静脈５０３から遠く離れたり、下大静脈５０３の上方にある）に貫通させ、主な供給血管６０７の一側を介して、下から上まで肝臓６００の上表面６０５に到達させ、縫合糸１３０の第１の端を、肝臓６００の上表面６０５に残す。次いで、外部カニューレ１１０ｂを、同一経路６１１に沿って、肝臓６００の上表面６０５に貫通させ、肝臓６００の下表面６０１に到達させる。
【００４１】
内部ワイヤ１２０の糸通し部１２１を、外部カニューレ１１０ｂの開孔１１７から外へ移出し、縫合糸１３０の第２の端を得た後、内部ワイヤ１２０を、糸通し部１２１の末端が開孔１１７内に収められるまで、裏へ移入する。準備完了後、ニードルユニット１００を、経路６１３に沿って肝臓６００の下表面６０１に貫通させ、主な供給血管６０７のまた他の側を介して、肝臓６００の上表面６０５に到達させ、縫合糸１３０の第２の端を肝臓６００の上表面６０５に引く。上表面６０５における経路６１１と経路６１３との間隔は、約５センチである。その後、特定の血管の個別の流入血液又は逆流血液を制御するように、肝臓６００の上表面６０５における縫合糸１３０の第１の端と第２の端を締め付ける。
【００４２】
他の実施例において、図５Ｂに示したものと同様に、肝葉又は切除予定区域の切除線の裏側に沿って、列になっている間欠インターロック縫合糸を形成するように、前記何れの方式で、ニードルユニット１００を繰り返して使用してよい。次に、プリングル法、又は他の如何なる肝臓の流入血液又は逆流血液の遮断方法を使用する必要がなく、直接に剪み、電気焼灼器を使用したり、ケリー鉗子による締め分離法を利用して、肝葉又は区域を直接に分離してよい。はっきりとしたサイズを有する如何なる管状構造を、縫合糸による結紮を利用して、強化することができる。前記肝切除手術の後、残肝の表面に、フィブリン糊又はコラーゲンシートを使用する必要はない。定例に従って、必要であれば、大口径の排液管を、関連部分に置いてよい。
【００４３】
長い直針（又は直管型外部カニューレ１１０ａと、内部ワイヤ１２０と、を有するニードルユニット１００又はニードルユニット１００’）による血管結紮と比べて、肝切除手術において、曲管型外部カニューレ１１０ｂと、内部ワイヤ１２０と、を有するニードルユニットは、下大静脈上方の肝左葉の血管結紮、或は肝臓と前腹壁及び胸腔壁（図５Ａ、図５Ｂ及び図６Ｂに示した５０９）、或は図５Ａ、図５Ｂ及び図６Ｂに示した腹腔後腹膜６２３の間の狭い隙間における肝臓（肝左葉及び肝右葉を含む）の血管結紮に効果的に適用し、下大静脈を傷つけなく、胸腔壁を上げすぎるようなことはなく、更に、開胸術（ｔｈｏｒａｃｏｔｏｍｙ）を省くことができることは、注意すべきである。例えば、大きな肝臓腫瘍で、肝臓と前腹壁及び胸腔壁との間の隙間が僅かな場合、又は、腫瘍が下大静脈の上方にあるため、従来の直針を使用し難くなるような場合にも、曲管型外部カニューレ１１０ｂと、内部ワイヤ１２０と、を有するニードルユニットは適用できる。
【００４４】
次に、本発明のニードルユニットを、長い直針及び、直管型外部カニューレ１１０ａと、内部ワイヤ１２０と、を有するニードルユニット１００（又はニードルユニット１００’）と合わせて、肝切除手術において肝臓血管を結紮してよい。例としては、下大静脈上方、又は肝臓と前腹壁との間の狭い隙間における血管を、外部カニューレ１１０ｂと、内部ワイヤ１２０と、を有するニードルユニット１００を利用して結紮してよい。下大静脈から遠く離れる血管に関しては、長い直針、或は直管型外部カニューレ１１０ａと、内部ワイヤ１２０と、を有するニードルユニット１００を利用して結紮してよい。
【００４５】
また、本発明では肝臓血管の結紮を例示として、本発明のニードルユニットの適用を説明したが、当業者であれば、本発明が、これに限定されなく、本発明の精神と領域から逸脱しない限り、本発明のニードルユニットを、他の器官の局部切除手術の場合の血管の結紮に適用可能であることは理解すべきである。例としては、本発明のニードルユニットを、女性尿失禁（ｆｅｍａｌｅ  ｕｒｉｎａｒｙ  ｉｎｃｏｎｔｉｎｅｎｃｅ）の治療に適用可能である。この実施例において、ニードルユニットを、膣から恥骨の両側の結締組織までスリングテップ（ｓｌｉｎｇ  ｔａｐｅ）を置くことで、尿道を掛けて支持を提供することに適用可能である。
【００４６】
本発明の前記実施例より、本発明のニードルユニットは、外部カニューレと、外部カニューレの内部通路に設けられている内部ワイヤとを備え、肝切除手術（例えば、張氏手術法）において、直針で行う結紮が、やりにくい、あるいは不可能な特定の血管、特に、肝臓の第４の区域、第７の区域、第８の区域、肝左静脈又は中肝静脈を効果的で容易に結紮できることを、メリットとしていることが判明した。そのように、本発明は、従来の直針の適用上の限定を、効果的に克服できる。
【００４７】
本発明では好適な実施例を前記通り開示したが、これは本発明を限定するものではなく、当業者であれば、本発明の精神と領域から逸脱しない限り、多様の変動や修正を加えることができる。従って本発明の保護範囲は、特許請求の範囲で指定した内容を基準とする。
【符号の説明】
【００４８】
１００、１００’  ニードルユニット
１１０、１１０’、１１０ａ、１１０ａ’、１１０ｂ、１１０ｂ’  外部カニューレ
１１１  内部通路
１１３  外部カニューレの開口端
１１５  外部カニューレの穿刺端
１１７  開孔
１２０  内部ワイヤ
１２１  糸通し部
１２１ａ、１２１ｂ、１２１ｃ、１２１ｄ、１２１ｅ、１２１ｆ  ループ
１２１ｇ  Ｕ形部
１２１ｈ、１２１ｉ  フック
１２３、１２３ｂ、１２３ｄ、１２３ｆ  線形突起物
１３０  縫合糸
１３０ｂ、１３０ｃ  ハンドル
１３１ｂ、１３１ｃ  握持部
１３３ｂ、１３３ｃ  開口
１４０  腹腔鏡手術の腹腔穿刺用トロカール
１４１  腹腔穿刺用トロカールの中空管路
１４５  腹腔穿刺用トロカールの開口
１５０  プラグ
α  接弦角
θ  中心角
ｗ  幅
５００、６００  肝臓
５０１、６０１  下表面
５０３  下大静脈
５０５、６０５  上表面
５０７、６０７  主な供給血管
５０９  前腹壁及び胸腔壁
５１１、５１３、６１１、６１３  経路
５２１  結び目
６０２  横隔膜
６１０  リブ
６２１  胸腔後胸膜
６２３  腹腔後腹膜
【図１Ａ】
0005462301.tif 000003
【図１Ｂ】
0005462301.tif 000004
【図１Ｃ】
0005462301.tif 000005
【図１Ｄ】
0005462301.tif 000006
【図２】
0005462301.tif 000007
【図３】
0005462301.tif 000008
【図４】
0005462301.tif 000009
【図５Ａ】
0005462301.tif 000010
【図５Ｂ】
0005462301.tif 000011
【図６Ａ】
0005462301.tif 000012
【図６Ｂ】
0005462301.tif 000013